(57)【要約】  本発明は、ボビンから接着ラベルを除去する方法に関し、ボビンが端部および外部表面を含み、当該方法は、コイル状シートの端部の上に位置付けられた接着ラベルによって閉じられたコイル状シートのボビンを提供して、接着ラベルをボビンの外部表面に取り付けることと、接着ラベルを見つけることと、接着ラベルおよびコイル状シートの端部をボビンから取り外すため、吸引力を接着ラベルの位置に加えることと、接着ラベルを含む取り外された端部の一部をボビンから切断することと、を含む。本発明はまた、接着ラベルをボビンのコイル状シートの端部から取り外す装置に関連し、接着ラベルはボビンの端部と外部表面との間に位置する。【選択図】図１
2020511378.tif 000002
【特許請求の範囲】
【請求項１】
ボビンから接着ラベルを除去する方法であって、前記ボビンが端部および外部表面を含み、前記方法が、
ｏ  コイル状シートの前記端部の上に位置付けられた接着ラベルによって閉じられた前記コイル状シートのボビンを提供して、前記接着ラベルを前記ボビンの外部表面に取り付けることと、
ｏ  前記接着ラベルを見つけることと、
ｏ  前記接着ラベルおよび前記コイル状シートの前記端部を前記ボビンから取り外すため、吸引力を前記接着ラベルの前記位置に加えることと、
ｏ  前記接着ラベルを含む前記取り外された端部の一部を前記ボビンから切断することと、を含む、方法。
【請求項２】
ｏ  巻出方向に前記ボビンを回転させることと、
ｏ  回転させる間に前記接着ラベルを見つけることと、を含む、請求項１に記載の方法。
【請求項３】
前記接着ラベルを見つけることが、
ｏ  前記ボビンの前記外部表面から前記接着ラベルを部分的に持ち上げることを含む、請求項１または２に記載の方法。
【請求項４】
ｏ  前記接着ラベルの前記持ち上げられた部分によって接着ラベルの位置のセンサーを起動することを含む、請求項３に記載の方法。
【請求項５】
ｏ  前記接着ラベルを見つけた後に前記ボビンの前記回転を逆にすることを含む、請求項２に従属するとき、請求項１から４の一つ以上に記載の方法。
【請求項６】
吸引力を加えることが、
ｏ  吸引面に対して置くように取り付けられた前記コイル状シートの前記接着ラベルおよび前記端部を吸引することを含み、
前記取り外された端部の一部を切断することが、
ｏ  前記コイル状シートの前記端部に取り付けられた前記接着ラベルの端部に、前記吸引面上に形成される溝を位置付けることと、
ｏ  前記ボビンからの前記接着ラベルを含む前記コイル状シートの前記端部の前記一部を切断するため、ブレードを前記溝内に摺動させることと、を含む、請求項１から５の一つ以上に記載の方法。
【請求項７】
ｏ  前記ボビンの前記外部表面に平坦な要素で接触することと、
ｏ  前記ボビンを回転させる間に前記平坦な要素によって前記接着ラベルを持ち上げることと、を含む、請求項１から６のいずれかに記載の方法。
【請求項８】
吸引力を加えることが、
ｏ  吸引面を前記ボビンの前記外部表面と接触させることと、
ｏ  前記吸引面によって前記コイル状シートの前記接着ラベルおよび前記端部を吸引することと、を含む、請求項１から７の一つ以上に記載の方法。
【請求項９】
ｏ  前記接着ラベルに含まれる情報を読み取ることと、
ｏ  前記読み取り情報に基づいてエラーの存在を判断することと、を含む、請求項１から８の一つ以上に記載の方法。
【請求項１０】
ボビンのコイル状シートの端部から接着ラベルを取り外す装置であって、前記接着ラベルが前記ボビンの前記端部と外部表面との間に位置し、前記装置が、
ｏ  前記ボビンの中央穴に挿入されるように適合された回転可能ハブと、
ｏ  前記ボビンの前記外部表面上の前記接着ラベルの存在を感知するように適合された位置センサーと、
ｏ  前記接着ラベルおよび前記コイル状シートの前記端部を吸引して、前記ボビンから前記接着ラベルを取り外すように適合された吸引装置と、
ｏ  前記吸引装置が前記接着ラベルおよび前記コイル状シートの前記端部を吸引して、前記ボビンから前記接着ラベルを取り外すとき、前記接着ラベルを含む前記コイル状シートの前記端部を切断するように適合されたブレードと、を含む、装置。
【請求項１１】
前記吸引装置が、前記ボビンの前記外部表面に向かっておよびそこから離れる方向に移動可能である、請求項１０に記載の装置。
【請求項１２】
前記吸引装置が、第一および第二の端を有し、前記位置センサーが、前記吸引装置の前記第一の端に配置され、前記第一の端で枢支点の周りに回転可能である、請求項１０または１１に記載の装置。
【請求項１３】
前記ボビンの直径を決定するように適合された直径センサーを含む、請求項１０〜１２のいずれかに記載の装置。
【請求項１４】
前記吸引装置が、溝を有する吸引面を含み、前記ブレードが、前記溝内で並進移動するよう適合される、請求項１０〜１３のいずれかに記載の装置。
【請求項１５】
前記ボビンの前記外部表面に向かっておよびそこから離れる方向に移動可能な平坦な要素を含み、前記平坦な要素が、前記ボビンが回転している間に前記接着ラベルの一部を持ち上げるよう適合される、請求項１０〜１４のいずれかに記載の装置。
【請求項１６】
前記平坦な要素を前記ボビンに向かっておよびそこから離れる方向に移動させるように適合された線形アクチュエータを含む、請求項１５に記載の装置。
【発明の詳細な説明】
【技術分野】
【０００１】
本発明は、ボビンから接着ラベルを除去する方法に関連する。
【０００２】
さらに、本発明は、ボビンのコイル状シートの端部から接着ラベルを取り外すための装置に関連する。特に、接着ラベルは、ボビンの端部と外部表面との間に位置する。
【背景技術】
【０００３】
エアロゾル発生物品の製造において、フォイル形式であり、ボビンに送達される材料が使用されることが多い。
【０００４】
こうした材料は、均質化したたばこ材料、例えば乾燥されたたばこキャストリーフ（ＴＣＬ）であってもよく、それによって乾燥されて、貯蔵および搬送のためにボビンに巻き取られた箔またはシートで切断される。この材料は、ボビンにコイル状に巻かれた時に、適切に巻き出すことが困難でありうる。というのも、ＴＣＬは粘着性のあるものとしうるため、それを巻き出すためにかなり高い力を加える必要があり、かつ脆弱としうるため、簡単に裂ける可能性があるためである。
【０００５】
その他の材料は、エアロゾル発生物品のフィルターの特定の部分を製造するために使用されるポリ乳酸（ＰＬＡ）でありうる。
【０００６】
これらのボビンは、通常、接着ラベル、すなわち、ボビンの緩んだ端部に貼り付けられ、緩んだ端部をボビンの外部表面に取り付けるステッカーで閉じられる。情報は、シートの材料の性質およびその特徴、例えば、製造時間または予想される最新の使用日に関する情報などが、よくラベル上に印刷されてもよい。
【０００７】
製造工程中、特定の機械はこれらのボビンを、一つずつ巻き出して、それらのシートまたは箔を使用してエアロゾル発生物品の一部を作り出す。
【０００８】
こうした機械の巻出部分では、「回転部品」が提供されてもよく、通常は軸ツリーに結合されたハブを含む。ボビンはハブ上に置かれてもよく、その後、ボビンから取り出される箔が機械の特定のローラーによってドラッグされる間、ボビンを回転および巻き出しうる。
【０００９】
製造中に、ボビンから来る箔が通常、約２００メートル／分〜約４００メートル毎分の間の速度で処理されうるように、ボビンは高速で巻き出されることが好ましい。
【００１０】
こうした機械では、センサー（例えば、光学センサー）が通常提供され、特に「直径センサー」が提供されており、これはボビンの現在の直径の値に関する情報を機械に与える。この直径センサーは、例えば、ボビンがほとんど消耗しており、交換されなければならないときに、知るのに役立ちうる。
【００１１】
こうしたボビンの取り扱い、および特にこのようなボビンの交換は、ラベルを読み取ることを意味し（ボビンの材料が正しいことを確認するために）、次にボビンからラベルを回収すること、新しいボビンの緩んだ端を取り、それを後で取り扱うことができる製造機械の特定の部分に結合することを意味しうる。
【００１２】
従って、これらのタスクを自動的に実施するための方法および装置、特にボビン内のコイル状シートの端部から接着ラベルを自動的に除去することのニーズがある。これらの方法および装置は、生産ラインの全体的な製造レートを増加させることができる可能性がある。
【発明の概要】
【００１３】
第一の態様では、本発明は、ボビンから接着ラベルを除去する方法に関し、ボビンは端部および外部表面を含み、この方法は、コイル状シートの端部の上に位置付けられた接着ラベルの上に位置付けられた接着ラベルによって閉じられたコイル状シートのボビンを提供し接着ラベルをボビンの外部表面に取り付けることと、接着ラベルの位置決めをすることと、接着ラベルおよびコイル状シートの端部をボビンから取り外すため、吸引力を接着ラベルの位置に加えることと、接着ラベルを含む取り外された端部の一部をボビンから切断することと、を含む。
【００１４】
本発明によると、接着ラベルが検出され、ボビンに巻かれた材料シートの端部を「吸引」することによって、ボビンから自動的に除去される。端部は、その上に取り付けられた接着ラベルを保持する。端部が吸い込まれ、そのためボビンの残りの部分から取り外されるという事実によって、接着ラベルを保持する端部は、それを切断することによって除去することができ、その結果、接着ラベルも同時に取り外される。
【００１５】
本明細書で使用される「シート」という用語は、実質的にその厚さより大きい幅および長さを有する平坦な要素を意味する。シートの幅は、約１０ミリメートルより大きいことが好ましく、約２０ミリメートルまたは約３０ミリメートルより大きいことがより好ましい。シートの幅は、約１００ミリメートル〜３００ミリメートルの間であることがさらにより好ましい。
【００１６】
好ましい実施形態では、シートはＴＣＬまたはＰＬＡシートである。
【００１７】
具体的には、ＴＣＬシートを形成するプロセスは一般的に、スラリーを形成するためにたばこダストと結合剤とを混合する工程を含む。次に、スラリーがたばこウェブを作り出すために使用される。例えば、いわゆるキャストリーフが、粘性のあるスラリーを移動する構成要素上にキャスティングすることによって製造される。別の方法として、再構成たばこを作り出すために、粘性が低くかつ含水量が高いスラリーを製紙と似たプロセスで使用することができる。
【００１８】
たばこのシート材料は、再構成されたシート材料と呼ぶこともでき、たばこ組成物を形成する、粒子状のたばこ（例えば、再構成たばこ）またはたばこ粒子状の混合物、湿潤剤、および水溶性溶剤を使用して形成されうる。このたばこ組成物は次に、キャスティング、押出成形、圧延、またはプレスされて、たばこ組成物からシート材料を形成する。たばこのシートは、紙様の材料を作製するためにたばこの微粉が使用される湿式プロセス、またはたばこの微粉が結合剤材料と一緒に混合されて、移動するベルトの上へとキャスティングされてシートを形成するキャストリーフプロセスを利用して形成されることができる。
【００１９】
均質化したたばこ材料シートは次に、ボビンに巻き込まれて（さらに処理するために巻き出される必要がある）、例えばエアロゾル形成物品の部分となり、これがエアロゾル形成物品のエアロゾル形成基体に含まれるようになる。
【００２０】
「燃やさない加熱式」エアロゾル発生物品では、エアロゾル形成基体はエアロゾルを形成するがたばこ材料の燃焼は防止するために、比較的低い温度に加熱される。さらに、均質化したたばこシート中に存在するたばこは典型的に唯一のたばこであるか、このような「燃やさない加熱式」エアロゾル発生物品の均質化したたばこ材料中に存在するたばこの大部分を含む。これは、このような「燃やさない加熱式」エアロゾル発生物品によって発生されるエアロゾル組成物が実質的に、均質化したたばこ材料のみに基づくことを意味する。
【００２１】
本明細書で使用される「エアロゾル形成材料」という用語は、加熱されると揮発性化合物を放出してエアロゾルを発生させる能力を持つ材料を示す。たばこは、エアロゾル形成材料、特に、エアロゾル形成体を含む均質化したたばこシートとして分類されうる。エアロゾル形成基体は、エアロゾル形成材料を含むか、それによって構成されうる。
【００２２】
均質化したたばこシートは一般に、たばこに加えて、結合剤およびエアロゾル形成体を含む。この組成物は「粘着性」のあるシートにつながり、すなわち、隣接した物体に貼り付くようになり、また同時に、むしろ脆弱性があり、比較的低い引張強さを有するようになる。
【００２３】
本発明は特に、上述の通り均質化したたばこ材料で作製されたボビンに適合されうるが、好ましくは均質化したたばこ材料シートに同様の特性を持つシートをボビンから巻き出す必要のある任意のプロセスにも適用されうる。
【００２４】
ボビン形状は任意のものとしうる。これは実質的に円筒形状を持ちうるが、卵形または、基礎を成す円筒形状が変形した突出部を持つボビンなど、何らかの形に変形された形状も、本発明の教示の適用を妨げない。
【００２５】
巻き出されるボビンは、接着ラベルによって「閉鎖」される。
【００２６】
こうしたボビンを巻き出すために、まず接着ラベル全体が除去される必要がある。
【００２７】
接着ラベルは、ボビンの移動をブロックするためにボビンの端部の上に位置付けられ、すなわち、端部が接着ラベルによってボビンの外部表面に取り付けられるように、接着ラベルはボビンの端部とボビンの外部表面の残りの部分との間に位置付けられる。
【００２８】
「糊付け機能」に加えて、接着ラベルは、ボビンの特性およびその中にコイル状に巻かれた材料シートに関して自身に記述された情報を含みうる。情報は、例えば、バーコードとしてまたは接着ラベルに取り付けられたＲＦＩＤ内に任意の公知の方法で記述することができる。さらに、ボビンのシリアル番号も接着ラベルに記述することができる。
【００２９】
本発明によると、ボビンの外部表面上の接着ラベルの位置が決定される。接着ラベルの位置の識別は、例えば、ボビンの表面上の接着ラベルの存在を識別しうる光学センサーによるなど、任意の公知のセンサーによって作製されうる。
【００３０】
接着ラベルを除去するために、ボビンに巻き取られたシートの可能性のある脆弱性および粘着性を考慮するために、本発明によれば、接着ラベルの位置が識別されるとすぐに、シートを比較的穏やかに「穏やかに」取り扱うことが好ましい。この目的で、シートの端部は吸い込まれる。シートに損傷を与える可能性がある、ボビンの端部を機械的に把持することはなく、空気吸込み口を使用してそれを持ち上げる。
【００３１】
接着ラベルを含むシートの端部がボビンの残りから取り外された時、端部は切断され、接着ラベルが結果的に除去される。剥離は吸引力に起因し、このようにシートの端部はボビンの残りの部分から持ち上げられうる。
【００３２】
従って、有効なラベル除去が実施されるが、これは材料シートの特性を考慮したものである。有利なことに、接着ラベルは、コイル状シートの取り外された端部とともに自動的に除去され、その結果、ボビンは巻き出される準備が整う。
【００３３】
方法は、巻出方向にボビンを回転させること、および回転させる間に接着ラベルを見つけることを含むことが好ましい。接着ラベルを見つけるために、ボビンの全体的な外部表面がセンサーによって感知されるように、かつ接着ラベルの位置が相応に決定されるように、センサーをある位置に固定してボビンを回転させることが好ましい。ボビンが位置付けられ、接着ラベルが除去される装置は、巻出のために使用される装置と同一であることが好ましい。このため、ボビンの回転は既に提供されており、この機能を追加するために装置を修正する必要はない。
【００３４】
接着ラベルを見つけることは、接着ラベルをボビンの外部表面から部分的に持ち上げることを含むことが好ましい。強すぎる吸引力が材料シートを引き裂く恐れがあるため、ボビンの端部をボビンの残りの部分から取り外すために、強すぎる吸引力が適用されないことが好ましい。従って、外部表面から、接着ラベルの端部の除去に必要な吸引力を減少させるように、接着ラベルをボビンの外部表面から部分的に取り外したり、持ち上げたりすることが好ましい。剥離は、接着ラベルをボビンの外部表面から持ち上げるように位置付けられた「剥がし要素」によって動作することができる。剥がし要素は、その縁または先端の一つによって接着ラベルの一部を持ち上げる平坦な要素であってもよい。
【００３５】
本発明の方法は、接着ラベルの持ち上げられた部分によって接着ラベル位置のセンサーを起動することを含むことがより好ましい。有利なことに、接着ラベルは、センサーのトリガーとして部分的に取り外された接着ラベルによって形成される「フラップ」を使用することによって、簡単に見つけられる。部分的に取り外された接着ラベルによって形成された「フラップ」がセンサー応答を保証する、センサーに対する追加的なトリガーの必要性はない。
【００３６】
本発明の方法は、接着ラベルを見つけた後、ボビンの回転を逆にすることを含むことが好ましい。接着ラベルは、シートの端部に取り付けられた第一の部品と、ボビンの外部表面に取り付けられた第二の部品とを有するボビンに取り付けられる。接着ラベルの一部を持ち上げるために、ボビンの外部表面から部分的に取り外され、シートの端部に取り付けられたままになるように、接着ラベルの第二の部分が回転中に前または上流にあるように、ボビンは巻出方向にまず回転することが好ましい。このように、ボビンの外部表面に取り付けられたラベルの第二の部分は、まず「剥がし要素」と接触してもよく、外部表面自体から部分的に取り外されてもよい。「剥がす」が実施された後、ボビンはその後反対方向に回転し、接着ラベルを剥がし要素から遠ざかる方向に移動させる。このように、部分的に取り外された接着ラベルを持つコイル状シートの端部は、特定の位置に戻される。
【００３７】
吸引力を加えることは、接着ラベルおよびコイル状シートを吸引面に対して置くように、接着ラベルおよびそれに取り付けられたコイル状シートの端部を吸引することを含むことが好ましい。吸引が実施され、結果として端部がボビンから取り外される。吸引力によって、端部は、吸引面と呼ばれ、表面と当接し、さらなる処理のために保持される。吸引面はまた、吸引力がそこから作用する表面であることが好ましい。吸引面は移動可能であることがより好ましい。シートの終端部が吸引力によって取り付けられるとすぐに、表面は、さらなる可能性のある処理工程を実施するために、端部を異なる場所に移動するよう端部と共に移動できることが好ましい。
【００３８】
取り外された部分の一部を切断することは、コイル状シートの端部に取り付けられた接着ラベルの端にその吸引面上に形成された溝を位置付けること、およびボビンから接着ラベルを含むコイル状シートの端部の一部を切断するように、溝の中へブレードを摺動させることを含むことがより好ましい。有利なことに、端部が当接している吸引面内に形成される溝は、ブレードが表面自体を損傷することなくコイル状シートの端部の一部を切断し、端部が表面に当接している間に端部を切断することに加えて、正確な切断ができることを可能にする。
【００３９】
本発明の方法は、ボビンの外部表面を平坦な要素で接触させることおよびボビンを回転させる間に平坦な要素によって接着ラベルを持ち上げることを含むことが好ましい。平坦な要素は、シートの端部の剥離が非常に強い吸引力を必要としないように、接着ラベルをボビンの外部表面から少なくとも部分的に持ち上げるのに役立つ「剥がし要素」であることが好ましい。
【００４０】
吸引力を加えることは、吸引面をボビンの外部表面と接触させることおよび吸引面によってコイル状シートの接着ラベルおよび端部を吸引することを含むことが好ましい。吸引力は表面から作用することが好ましく、例えば、複数の穴が形成され、空気が孔に引き込まれる。ボビンの端部をゆっくりと持ち上げるために、好ましくは第一の吸引面が端部と接触して置かれ、次に吸引面を移動することによって、端部はボビンから取り外される。実際に、ボビンの端部は、吸引力によって吸引面に当接して保たれ、吸引面と一緒に移動する。
【００４１】
本発明の方法は、接着ラベルに含まれる情報を読み取ることおよび読み取り情報に基づいてエラーの存在を判断することを含むことが好ましい。接着ラベルに存在する情報は、ボビンの正しい加工に重要でありうる。例えば、接着ラベルに含まれる情報および本発明による読み取りが、ボビンが正しいまたは望ましいものではないことを示す場合、ボビンが交換されうるように信号が誘起される。
【００４２】
その第二の態様によれば、本発明は、ボビンのコイル状シートの端部から接着ラベルを取り外す装置に関連し、接着ラベルはボビンの端部と外部表面との間に位置し、装置は、ボビンの中央穴に挿入されるように適合された回転可能ハブと、ボビンの外部表面上の接着ラベルの存在を感知するように適合された位置センサーと、接着ラベルおよびコイル状シートの端部を吸引して、ボビンから接着ラベルを取り外すように適合された吸引装置と、吸引装置が接着ラベルおよびコイル状シートの端部を吸引して、ボビンから接着ラベルを取り外すとき、接着ラベルを含有するコイル状シートの端部を切断するように適合されたブレードと、を含む。
【００４３】
こうした装置の利点については、本発明の第一の態様を参照して既に考察してきたため、ここでは繰り返さない。
【００４４】
吸引装置は、ボビンの外部表面に向かっておよび離れる方向に移動可能であることが好ましい。この動きにおいて、吸引装置はボビンの端部に取り付けられ、それと共に移動する。
【００４５】
吸引装置は、第一および第二の端を含むことがより好ましく、位置センサーは、吸引装置の第一の端に位置付けられ、第一の端で枢支点の周りに回転可能である。位置センサーは、ラベルの存在をできるだけ簡単に感知するように位置付けられている。したがって、位置センサーを回転および移動する可能性は、ボビン上の複数の異なる位置の接着ラベルを見つけるために望ましい。
【００４６】
好ましくは、装置は、ボビンの直径を決定するよう適合される直径センサーを含む。ボビンの直径は、吸引装置を正しく動かすために重要な情報である。吸引装置は、ボビンの外部表面と接触することが好ましく、外部表面の位置はボビンの直径に依存することが好ましい。
【００４７】
吸引装置は、溝を有する吸引面を含み、またブレードは溝内で並進移動するよう適合されることが好ましい。有利なことに、溝は、ブレードが吸引面を損傷することなくコイル状シートの端部を切断することを可能にする。
【００４８】
装置は、ボビンの外部表面に向かっておよびそこから離れる方向に移動可能な平坦な要素を含むことが好ましく、平坦な要素は、ボビンが回転する間に接着ラベルの一部を持ち上げるよう適合される。
【００４９】
装置は、平坦な要素をボビンに向かっておよびそこから離れる方向に動かすように適合された線形アクチュエータを含むことがより好ましい。接着ラベルが常に同じ位置にあるとは限らないため、平坦な要素は柔軟な位置も持つことが好ましい。
本発明のさらなる有利な点は、非制限的に添付の図面を参照しながら、本発明を実施するための形態を読むことで明らかになろう。
【図面の簡単な説明】
【００５０】
【図１】図１は、第一の動作状態にある、ボビン（図示）のコイル状シートの端部から接着ラベルを取り外すための本発明による装置の概略側面図である。
【図２】図２は、第二の動作状態の図１の装置の概略側面図である。
【図３】図３は、第一の動作状態の図１の装置の概略側面図である。
【図４】図４は、第三の動作状態での、図１の装置の概略側面図である。
【図５】図５は、図１の装置の概略斜視図である。
【図６】図６は、図１の装置およびボビンの一部分（回転可能ハブ）の概略斜視図である。
【図７】図７は、図１の装置のさらなる部分（位置センサー）の概略斜視図である。
【図８】図８は、図７のさらなる部分の概略斜視図である。
【図９】図９は、下から見た、図１の装置の概略斜視図である。
【図１０】図１０は、第四の動作状態での、図１の装置の概略横断面図である。
【図１１】図１１は、前側から取られた図１の装置の概略斜視図である。
【図１２】図１２は、上から取られた図１の装置の概略斜視図である。
【発明を実施するための形態】
【００５１】
図面を参照すると、本発明による接着ラベル２２（図６および１０で見える）を取り外すための装置が表わされ、参照番号２０で示される。
【００５２】
接着ラベル２２は、ボビン２８（図６）のコイル状シート２６の端部２４から取り外され、公知の方法で既に提供され、製造されている。
【００５３】
ボビン２８は、材料のコイル状シート２６によって形成され、内側中央穴２９、外部表面２５および端部２４を画定する。
【００５４】
図に示すボビン２８は、丸い、例えば円筒形の形状をしている。ところが、本発明は、ボビンが丸い形状を持たない時でさえも、いずれのボビンともうまく機能する。接着ラベル２２は、ボビン２８の端部２４と外部表面２５との間に位置する。
【００５５】
図１および図２を最初に参照すると、装置２０は、ボビン２８が配置される回転可能ハブ３０を備える。回転可能ハブ３０は、ボビン２８の中央穴２９に挿入されるように適合される。
【００５６】
装置２０はまた、位置センサー３２、吸引装置３４およびブレード３６を含む。
【００５７】
位置センサー３２は、ボビン２８の外部表面２５上の接着ラベル２２の存在を感知するように適合される。
【００５８】
吸引装置３４は、コイル状シート２６の接着ラベル２２および端部２４を吸って、ボビン２８から接着ラベルを取り外すように適合される。吸引装置３４は、ボビン２８の外部表面２５に向かっておよびそこから離れる方向に移動可能である。吸引装置３４は、溝３７を有する吸引面３５を含む。吸引面３５は、以下により良好に説明される複数の穴を含む。
【００５９】
ブレード３６は、吸引装置３４がコイル状シート２６の接着ラベル２２および端部２４を吸引して、ボビン２８から接着ラベルを取り外すとき、接着ラベル２２を含むコイル状シート２６の端部２４を切断するように適合される。ブレード３６は、溝３７内で並進移動するように適合される。
【００６０】
位置センサー３２は、吸引装置３４の一方の端３５に位置付けられ、一方の端３５で枢支点４の周りに回転可能である。
【００６１】
装置はさらに、ボビン２８の外部表面２５に向かっておよびそこから離れる方向に移動可能である平坦な要素８（または実質的に平坦な要素）を含む。平坦な要素８は、位置センサー３２を作動させるためにボビン２８が回転する間に、接着ラベル２２の一部を持ち上げるように適合される。線形アクチュエータ３は、平坦な要素８をボビン２８に向かっておよびそこから離れる方向に移動させるように適合される。線形アクチュエータは吸引装置に接続され、また平坦な要素は吸引装置の同一の端で位置センサー３２の近傍に位置する。
【００６２】
装置２０はさらに、ボビン２８の直径を決定するよう適合された直径センサー（図に図示せず）を含む。
【００６３】
好ましい実施形態において、装置２０は、図１〜４に図示した全体的構造を有する。
【００６４】
装置は吸引装置３４を含む。吸引装置３４は、接着ラベル２２ならびに接着ラベル２２に取り付けられたボビン２８のコイル状シート２６の端部２４を掴むための空気吸込み効果を有する楕円ループを形成する、細長いコンベヤーベルト４０を含む。コンベヤーベルトは、そのループ形状外部表面の一部として吸引面３５を含む。コンベヤーベルト４０は移動可能であり、すなわち、吸引面３５は、ボビンの外部表面に面してもよく、またはそれと反対の方向であってもよい。
【００６５】
コンベヤーベルト４０は、吸引効果を提供するために、ベルト４０を通して外部空気が空気システムによって吸い込まれることを可能にする空気システムおよび真空貫通穴５２を有し、それにより外部材料に吸引効果を作り出すことができる。穴は吸引面３５で形成されることが好ましい。コンベヤーベルト４０は、適切な接着性のための特定の材料を使用して特別に設計され、穴５２を通した効果的な真空を可能にする。
【００６６】
コンベヤーベルト４０は、吸引面３５上に形成された直線溝３７も含む。コンベヤーベルト４０の真空貫通穴５２は、溝３７の前後にある。
【００６７】
図１２に示すように、吸引装置３４はまた、ブレード３６を含み、これは例えば、電動式ローリングナイフである。ブレードは、溝３７内で摺動できるようにコンベヤーベルト４０との関係で位置付けられ、取り付けられる。このローリングナイフ３６は、コンベヤーベルト４０の吸引面３５上で回転し、直線溝３７がローリングナイフ３６の線形軌道と一直線に並ぶことができるように位置付けられる。さらに、ベルト４０の溝３７がナイフ３６の軌道と並ぶとき、ナイフ３６は、以下に詳述するように、溝３７の中へ走行し、空気吸込みコンベヤーベルト４０に付着して保持される材料を切断することができる。
【００６８】
吸引装置３４はさらに、接着ラベルに含まれる情報を読み取るためのラベルリーダー装置（図面に図示せず）を含む。こうしたラベルリーダー装置は、コードバーリーダーであってもよい。
【００６９】
吸引装置３４、より具体的には、細長いコンベヤーベルト４０は、第一の遠位端４１および第二の遠位端４２を含む。装置２０はさらに、吸引装置３４の第一の端４１に取り付けられたラベル捕捉部品（ｌａｂｅｌ  ｃａｔｃｈｉｎｇ  ｐａｒｔ）１を含む。ラベル捕捉部品１の遠位端３１への取り付けは、ラベル捕捉部品１が吸引装置３４の第一の遠位端４１で枢支点４の周りを回転できるようにする。ラベル捕捉部品１は、本発明の方法の段階の間、ボビン２８の外部表面２５上で稼働するように位置付けられ、接着ラベル２２を部分的に持ち上げる平坦な要素８および接着ラベル２２が部分的に持ち上げられた時に検出する位置センサー３２を含む。一つ以上の位置センサー３２を備えてもよい。位置センサーは近接センサーとすることができる。好ましい実施形態において、位置センサー３２は光学センサーを含む。例えば、光学センサーは、感光センサーに結合されたレーザー発光ダイオードを含みうる。ラベル捕捉部品１は、使用時にボビン２８の外部表面２５に部分的に面する。吸引装置３４、特にコンベヤーベルト４０に対するラベル捕捉部品１の位置は、ラベル捕捉部品１に一方の端と結合され、コンベヤーベルト４０に一反対側の端と結合される線形アクチュエータ３によって変えることができる。したがって、線形アクチュエータ３の長さを変更することは、ラベル捕捉部品１にコンベヤーベルト４０と形成された角度を変化させることになる。ボビン２８に関してラベル捕捉部品１の位置は、ラベル捕捉部品に取り付けられた平坦な要素８がボビン２８の外部表面２５に接線方向に位置付けられるように、線形アクチュエータ３の長さを調節することで調整できる。
【００７０】
図７〜１０により詳細に示すように、ラベル捕捉部品１は、手部分４８および位置センサー３２を持つ。図７および図８に示すように、手部分４８は、線形アクチュエータ３が取り付けられる側部構造体７と、好ましくはＴ字形状を持つ実質的に平坦な要素８とを含む。実質的に平坦な要素８は、線形アクチュエータ３がその最も長い長さにある時に、コンベヤーベルト４０の吸引面３５と同一平面上にある。平坦な要素８はさらに、接着ラベルと接触し、以下に詳述する通り、その一部分を取り外すように適合される先端５０をさらに含む。位置センサー３２は、光学センサー３２の見通し線１０が実質的に平坦な要素８の平面内にあり、実質的に平面の要素８の先端５０に向くように位置付けられることが好ましい。
【００７１】
吸引装置３４は、その位置を変更してもよく、すなわち、吸引装置は固定されていない。位置を変更するために、装置２０は動力軸５を含む。電動軸５は、その角度位置を変化させるために、吸引装置３４の第二の遠位端４２に位置する。したがって、コンベヤーベルト４０は、ボビンに向かって、またはボビンから離れるように移動することができる。このように、コンベヤーベルト４０は、その表面の一つでボビン２８の外部表面２５に接することができるように、ボビンと接触するようになってもよい。コンベヤーベルトは、吸引面によってボビンと接触するようになることが好ましい。吸引面は、ボビンに面する位置から異なる位置へと移動することができる。
【００７２】
さらに、装置２０は制御システム１００を含む。制御システム（図１〜３に概略的に図示）は、位置センサー３２からの情報、ならびに回転可能ハブ３０および直径センサー（図示せず）への情報を受信する。それに応じて、吸引装置３４および動力軸５、ラベル捕捉部品１に命令する。そして、ボビン２８の回転方法および速度を調節するように、ハブ３０に情報を送信し命令する。
【００７３】
制御システム１００は、ボビン２８に取り付けられた接着ラベル２２を除去するように、本発明の方法に従って以下の工程で装置２０に命令することが好ましい。
【００７４】
ボビン２８は、吸引装置４０の下に配置され、そのハブ３０の周りを回転する。ただし、吸引装置およびハブの位置の異なる構成が可能である（たとえば、吸引装置はハブに対して横方向に配置できる）。ボビン２８は巻出方向に回転する。ボビン２８を正しく巻き出すために、ボビン２８が好ましくは製造時にコイル状シート２６をボビン２８の回転と同じ方向に回転させて装置２０内に配置することが好ましいことが示されている。図６に示すように、「巻出方向」と呼ばれる回転方向は、ボビン２８の外部表面２５上の固定位置に置かれる一般的な基準物品４６がまず接着ラベル２２、その後端部２４に遭遇するような回転方向である。すなわち、巻出方向と呼ばれる回転の方向は、最初にボビンの外部表面上に位置する一般的な品目が、ボビンの外部表面に取り付けられるラベル２２の一部に接触し、その後、シートの端部に取り付けられるラベルの部分に接触するような方向である。
【００７５】
動力軸５および線形アクチュエータ３を使用して、ラベル捕捉部品１は、その要素の一つでボビン２８の外部表面２５と接触し、コンベヤーベルト４０がボビン２８に触れないように、最初に位置付けられる。
【００７６】
このような位置付けを得るために、動きは以下の通りである。
【００７７】
動力軸５は、コンベヤーベルト４０がボビン２８の外部表面２５からの距離を変化させることができるように、コンベヤーベルト４０を上または下に回転させる。コンベヤーベルト４０をボビン２８と正しい距離まで回転させるために必要な角度は、直径センサーから受信したデータから制御システム１００によって決定される。その他の公知の近接センサーまたは接触センサーを使用して、このような位置を調整することができる。
【００７８】
さらに、ラベル捕捉部品１は、線形アクチュエータ３の長さを低減または増加させることによって、ラベル捕捉部品１が軸４の周りを回転するように、処理部品２に固定された軸４の周りを自由に回転することができる。
【００７９】
図３および４は、線形アクチュエータ３の異なる長さによる、ラベル捕捉部品１の二つの位置を持つ装置２０を図示する。
【００８０】
図３では、線形アクチュエータ３は、その最も長い長さにあり、ラベル捕捉部品１の底面４２は、コンベヤーベルト４０の吸引面３５と同一平面上にある。
【００８１】
図４では、ラベル捕捉部品１が軸４の周りに反時計回りに回転するように、線形アクチュエータ３は図２よりも短い。ラベル捕捉部品１がボビン２８と接触するためにラベル捕捉部品１を回転させるために必要な角度は、制御システム１００が受信する直径センサーからのデータならびにコンベヤーベルト４０の現在の位置からのデータ（特に動力軸５の回転角度）から決定される。その他の公知の近接センサーまたは接触センサーを使用して、このような位置を調整することができる。
【００８２】
これらの二つの要素を使用して、動力軸５および線形アクチュエータ３、コンベヤーベルト４０の吸引面３５は、ボビンの外部表面からの所望の距離に位置付けることができ、ラベル捕捉部品１の底面４２はボビン２８の外部表面２５に接線方向に接触することができる。
【００８３】
より詳細には、装置２０の制御システム１００は、実質的に平坦な要素８の先端５０がボビン２８の外部表面２５と接線方向に接触するように、ラベル捕捉部品１を回転する。最終的な位置決めは、実質的に平坦な要素８の先端５０が次に、ボビン２８の巻出方向に対向する方向に面するようになる。
【００８４】
次に、制御システム１００は、ボビン２８を巻出方向（つまり、製造中に使用される方向）に回転するよう命令し、その結果、実質的に平坦な要素８の先端５０は、ボビン２８の外部表面２５に沿って「軽くひっかく」。実質的に平坦な要素８の先端５０が接着ラベル２２に遭遇する時、回転の方向によってボビンの外部表面に取り付けられた接着ラベル２２の端に突き当たる。ボビン２８がその回転を保持する時、接着ラベル２２は、実質的に平坦な要素８の先端５０によって少なくとも部分的に押されて徐々に剥がれる。そうすることにより、接着ラベル２２は、位置センサー３２の見通し線１０の中へと移動され（図７および８参照）、位置センサーを指導する（好ましい実施形態では、レーザーの光が接着ラベル２２に反射して、感光センサーによって捕捉される。図面に図示せず。）、「フラップ」を形成する。
【００８５】
接着ラベル２２の端が薄すぎて先端５０によって部分的に取り外せない場合、操作者は、ハブ３０にボビン２８を配置するときに、接着ラベル２２の端を少し取り外して（手動で「フラップ」を形成して）、装置２０がラベルを完全に除去して位置センサー３２を起動するのを手助けしてもよい。このようにして、接着ラベル２２の位置が検出される。
【００８６】
図１０では、実質的に平坦な要素８は、巻出方向に回転するボビン２８の外部表面２５と接触するように回転されている。接着ラベル２２は、実質的に平坦な要素８の先端５０によって部分的に押され、位置センサー３２を指導する。この工程では、コンベヤーベルト４０の吸引面３５は依然としてボビン２８と接触していない。
【００８７】
ラベル位置が検出されたという位置センサー３２の信号を受信するとき、制御システム１００は、ボビン２８の回転を停止し、その後に反対方向にボビン２８を回転させる適切なコマンドを送信する。反対方向の回転、すなわち、巻出方向に対向する方向の回転は、その位置が今は既知である接着ラベル２２が、コンベヤーベルト４０の下の特定の位置に移動され、吸引面３５に向くような角度で実行される。ボビン２８が移動する正確な回転角度は、ボビン２８の直径に対する情報、ならびに実質的に平坦な要素８の先端５０とコンベヤーベルト４０の吸引面３５の標的領域との間の距離に対する情報を持つ制御システム１００によって決定される。
【００８８】
次に、コンベヤーベルト４０は、接着ラベル２２の位置の前に溝３７を位置付けるように移動される。以下では、「前」とは、巻出方向において、ラベル２２が溝３７の下流に位置することを意味する。溝を正しく位置付けるために、接着ラベル２２のおおよそのサイズが既知であることが好ましい。
【００８９】
制御システム１００はまた、以下に詳述するように、信号を送って、吸引装置３４を移動し、調節する。
【００９０】
図２は、動力軸５によってボビン２８と接触する吸引装置３４を図示する。
【００９１】
この位置において、コンベヤーベルト４０をボビン２８に接触させるために吸引装置３４の動力軸５を使用して、コンベヤーベルト４０の直線溝３７は、接着ラベル２２の直前に位置付けられる。
【００９２】
従って、ベルト４０の空気吸引力は、接着ラベル２２およびボビン２８の端部２４がボビンの外部表面から持ち上げられ、コンベヤーベルト４０の吸引面３５に当接するように作動される。制御システム１００は、空気圧力変動の測定値を使用して、ボビンのシートなどの材料が空気システムによってコンベヤーベルト４０に貼り付けられているかどうかを判定しうる。このようにして、吸引力の適用がボビンの外部表面からボビンの端部を適切に除去したかどうかを判断することが可能である。
【００９３】
次に、接着ラベル２２が当接しているコンベヤーベルト４０は、シートの端部に取り付けられた接着ラベルが、コンベヤーベルト４０のトップ面５４に搬送されるように移動することが好ましい。別の言い方をすると、吸引面３５は最初にボビン２８に面していて、移動してコンベヤーベルト４０のトップ面になる。この移動は、接着ラベル２２に必要なコイル状シート２６の量を放出してトップ面５４に移動させるボビン２８の回転との連携で行われる。
【００９４】
この位置で、ラベルリーダー装置は接着ラベル２２を読み取る。接着ラベル内で読み取られた情報がボビン２８の所望のまたは予想される情報と一致する場合、接着ラベル２２の除去は以下に記述されるように進む。そうでない場合、本発明の方法は中断され、ボビンが交換される。この後者の場合、例えば、接着ラベル２２がボビン２８上に戻るように、ベルト４０同様ボビン２８も逆行して、ボビン２８が交換されるように警告または警報信号が発動される。
【００９５】
正のボビン識別では、ラベル内の情報が予想されるものである場合、コンベヤーベルト４０は再び移動され、直線溝３７がローリングナイフの軌道と一直線に並ぶ。次に、ローリングナイフ３６は、接着ラベル２２の前にコイル状シート２６を切断する。従って、接着ラベル２２はシートの端部の一部と一緒に除去される。従って、ボビンの新しい端部が形成され、それでも以下の２４で示される。
【００９６】
その後、ベルト４０を再び移動して端部２４をボビン表面上に戻す。これは、ボビン２８の逆回転との連携で行われる。ベルト４０ならびにボビン２８によって行われる移動の正確な量は、既知である。移動の長さは、溝３７とコンベヤーベルト４０とボビン２８の外部表面との間の接点との間の距離と等しい。
【００９７】
ボビンの新しい端部２４が再びボビンの外部表面の上方に位置付けられた時、コンベヤーベルトの吸引面３５によって実施される空気吸引は、ボビン２８の新しい端部２４を放出するために停止される。
【００９８】
従って、ボビンの巻出は開始することができる。
【図１】
2020511378.tif 000003
【図２】
2020511378.tif 000004
【図３】
2020511378.tif 000005
【図４】
2020511378.tif 000006
【図５】
2020511378.tif 000007
【図６】
2020511378.tif 000008
【図７】
2020511378.tif 000009
【図８】
2020511378.tif 000010
【図９】
2020511378.tif 000011
【図１０】
2020511378.tif 000012
【図１１】
2020511378.tif 000013
【図１２】
2020511378.tif 000014
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
ボビンから接着ラベルを除去する方法であって、前記ボビンが端部および外部表面を含み、前記方法が、
ｏ  コイル状シートの前記端部の上に位置付けられた接着ラベルによって閉じられた前記コイル状シートのボビンを提供して、前記接着ラベルを前記ボビンの外部表面に取り付けることと、
ｏ  前記接着ラベルを見つけることと、
ｏ  前記接着ラベルおよび前記コイル状シートの前記端部を前記ボビンから取り外すため、吸引力を前記接着ラベルの前記位置に加えることと、
ｏ  前記接着ラベルを含む前記取り外された端部の一部を前記ボビンから切断することと、を含む、方法。
【請求項２】
ｏ  巻出方向に前記ボビンを回転させることと、
ｏ  回転させる間に前記接着ラベルを見つけることと、を含む、請求項１に記載の方法。
【請求項３】
前記接着ラベルを見つけることが、
ｏ  前記ボビンの前記外部表面から前記接着ラベルを部分的に持ち上げることを含む、請求項１または２に記載の方法。
【請求項４】
ｏ  前記接着ラベルの前記持ち上げられた部分によって接着ラベルの位置のセンサーを起動することを含む、請求項３に記載の方法。
【請求項５】
ｏ  前記接着ラベルを見つけた後に前記ボビンの前記回転を逆にすることを含む、請求項２に従属するとき、請求項１から４の一つ以上に記載の方法。
【請求項６】
吸引力を加えることが、
ｏ  吸引面に対して置くように取り付けられた前記コイル状シートの前記接着ラベルおよび前記端部を吸引することを含み、
前記取り外された端部の一部を切断することが、
ｏ  前記コイル状シートの前記端部に取り付けられた前記接着ラベルの端部に、前記吸引面上に形成される溝を位置付けることと、
ｏ  前記ボビンからの前記接着ラベルを含む前記コイル状シートの前記端部の前記一部を切断するため、ブレードを前記溝内に摺動させることと、を含む、請求項１から５の一つ以上に記載の方法。
【請求項７】
ｏ  前記ボビンの前記外部表面に平坦な要素で接触することと、
ｏ  前記ボビンを回転させる間に前記平坦な要素によって前記接着ラベルを持ち上げることと、を含む、請求項１から６のいずれかに記載の方法。
【請求項８】
吸引力を加えることが、
ｏ  吸引面を前記ボビンの前記外部表面と接触させることと、
ｏ  前記吸引面によって前記コイル状シートの前記接着ラベルおよび前記端部を吸引することと、を含む、請求項１から７の一つ以上に記載の方法。
【請求項９】
ボビンのコイル状シートの端部から接着ラベルを取り外す装置であって、前記接着ラベルが前記ボビンの前記端部と外部表面との間に位置し、前記装置が、
ｏ  前記ボビンの中央穴に挿入されるように適合された回転可能ハブと、
ｏ  前記ボビンの前記外部表面上の前記接着ラベルの存在を感知するように適合された位置センサーと、
ｏ  前記接着ラベルおよび前記コイル状シートの前記端部を吸引して、前記ボビンから前記接着ラベルを取り外すように適合された吸引装置と、
ｏ  前記吸引装置が前記接着ラベルおよび前記コイル状シートの前記端部を吸引して、前記ボビンから前記接着ラベルを取り外すとき、前記接着ラベルを含む前記コイル状シートの前記端部を切断するように適合されたブレードと、を含む、装置。
【請求項１０】
前記吸引装置が、前記ボビンの前記外部表面に向かっておよびそこから離れる方向に移動可能である、請求項９に記載の装置。
【請求項１１】
前記吸引装置が、第一および第二の端を有し、前記位置センサーが、前記吸引装置の前記第一の端に配置され、前記第一の端で枢支点の周りに回転可能である、請求項９または１０に記載の装置。
【請求項１２】
前記ボビンの直径を決定するように適合された直径センサーを含む、請求項９〜１１のいずれかに記載の装置。
【請求項１３】
前記吸引装置が、溝を有する吸引面を含み、前記ブレードが、前記溝内で並進移動するよう適合される、請求項９〜１２のいずれかに記載の装置。
【請求項１４】
前記ボビンの前記外部表面に向かっておよびそこから離れる方向に移動可能な平坦な要素を含み、前記平坦な要素が、前記ボビンが回転している間に前記接着ラベルの一部を持ち上げるよう適合される、請求項９〜１３のいずれかに記載の装置。
【請求項１５】
前記平坦な要素を前記ボビンに向かっておよびそこから離れる方向に移動させるように適合された線形アクチュエータを含む、請求項１４に記載の装置。
【国際調査報告】
2020511378.tif 000015
2020511378.tif 000016
2020511378.tif 000017